(57)【要約】      （修正有）【課題】柔軟性が良好なスライドファスナーの止め具を提供する。【解決手段】スライドファスナーに含まれる樹脂製の止め具は、本体部と、少なくとも一つの脚部を含む。本体部が、一対のファスナーテープ２０ａ、２０ｂの第１テープ面側に配される第１部分と、第１テープ面の反対側の第２テープ面２２側に配される第２部分３２を含む。脚部が、本体部の第１部分に対して結合し、またファスナーテープの第１テープ面に含まれる第１領域を被覆する。第１テープ面の第１領域の反対側にある第２テープ面２２の第２領域５２には露出領域５３が含まれる。露出領域が、第２部分３２の外周壁面３９と少なくとも一つの脚部の先端４５の間で延びる。【選択図】図６
0003213897.tif 000002
【実用新案登録請求の範囲】
【請求項１】
スライドファスナー（１）に含まれる樹脂製の止め具（１０）であって、
前記スライドファスナー（１）に含まれる一対のファスナーテープ（２０）それぞれに対して固着した本体部（３０）と、
前記一対のファスナーテープ（２０）の少なくとも一方に対して固着し、前記本体部（３０）から離間するように延びる少なくとも一つの脚部（４０）を備え、
前記本体部（３０）が、前記ファスナーテープ（２０）の第１テープ面（２１）側に配される第１部分（３１）と、前記ファスナーテープ（２０）の前記第１テープ面（２１）の反対側の第２テープ面（２２）側に配される第２部分（３２）を含み、
前記少なくとも一つの脚部（４０）が、前記本体部（３０）の前記第１部分（３１）に対して結合し、また前記ファスナーテープ（２０）の前記第１テープ面（２１）に含まれる第１領域（５１）を被覆し、
前記第１テープ面（２１）の前記第１領域（５１）の反対側にある前記第２テープ面（２２）の第２領域（５２）には前記第２テープ面（２２）が露出した露出領域（５３）が含まれ、前記露出領域（５３）が、前記第２部分（３２）の外周壁面（３９）と前記少なくとも一つの脚部（４０）の先端（４５）の間で延びる、止め具。
【請求項２】
前記少なくとも一つの脚部（４０）には前記ファスナーテープ（２０）の前記第１テープ面（２１）まで到達する孔（６０）が設けられる、請求項１に記載の止め具。
【請求項３】
前記孔（６０）は、前記第２部分（３２）の前記外周壁面（３９）の反対側の位置で前記第１テープ面（２１）側に設けられ、かつ前記外周壁面（３９）と比較して前記脚部（４０）の先端（４５）側にオフセットして位置付けられる、請求項２に記載の止め具。
【請求項４】
前記孔（６０）を規定する壁面に含まれる第１壁面領域（７１）と前記第２部分（３２）の前記外周壁面（３９）に含まれる第２壁面領域（７２）が、前記ファスナーテープ（２０）のテープ面に直交する共通の軸線（Ｖａｘ）沿いに延びる、請求項２又は３に記載の止め具。
【請求項５】
前記第１壁面領域（７１）の第１延長線（Ｌ１）と前記第２壁面領域（７２）の第２延長線（Ｌ２）が前記ファスナーテープ（２０）の前記第１及び第２テープ面（２１，２２）の間で交差する、請求項４に記載の止め具。
【請求項６】
前記軸線（Ｖａｘ）沿いの前記第１壁面領域（７１）の長さは、前記軸線（Ｖａｘ）沿いの前記第２壁面領域（７２）の長さよりも大きい、請求項４又は５に記載の止め具。
【請求項７】
前記孔（６０）は、前記少なくとも一つの脚部（４０）の前記外周壁面（３９）に溝を形成する態様で設けられる、請求項２乃至６のいずれか一項に記載の止め具。
【請求項８】
前記孔（６０）は、前記少なくとも一つの脚部（４０）の枢動を促進するように設けられる、請求項７に記載の止め具。
【請求項９】
前記第２部分（３２）は、前記スライドファスナー（１）を開閉するためのスライダー（８０）の上翼板（８２）又は下翼板（８１）の前側輪郭に応じて凹んだ凹部（３３）を有する、請求項１乃至８のいずれか一項に記載の止め具。
【請求項１０】
前記凹部（３３）は、前記上翼板（８２）又は下翼板（８１）の前側輪郭に応じて凹んだ一つの連続の弧状面（３４）と、前記ファスナーテープ（２０）の長手方向沿いに延びる第１及び第２側壁面（３５，３６）を有し、前記第１側壁面（３５）と前記弧状面（３４）の間で第１突起（３７）が規定され、前記第２側壁面（３６）と前記弧状面（３４）の間で第２突起（３８）が規定される、請求項９に記載の止め具。
【請求項１１】
前記少なくとも一つの脚部（４０）には前記ファスナーテープ（２０）の前記第１テープ面（２１）まで到達する孔（６０）が設けられ、
（ａ）前記孔（６０）は、前記第１突起（３７）及び／又は前記第２突起（３８）の先端に位置する前記外周壁面（３９）の反対側の位置で前記第１テープ面（２１）側に設けられ、かつその位置の外周壁面（３９）と比較して前記脚部（４０）の先端（４５）側にオフセットして位置付けられる；又は
（ｂ）前記孔（６０）を規定する壁面に含まれる第１壁面領域（７１）と前記第１突起（３７）又は第２突起（３８）の先端に位置する前記外周壁面（３９）に含まれる第２壁面領域（７２）が、前記ファスナーテープ（２０）のテープ面に直交する共通の軸線（Ｖａｘ）沿いに延びる、請求項１０に記載の止め具。
【請求項１２】
前記少なくとも一つの脚部（４０）は、それが固着した前記ファスナーテープ（２０）の動きに連行する柔軟さを有する、請求項１乃至１１のいずれか一項に記載の止め具。
【請求項１３】
前記少なくとも一つの脚部（４０）は、前記スライドファスナー（１）に含まれるコイル状ファスナーエレメント（９０）の端部が埋め込まれる、請求項１乃至１２のいずれか一項に記載の止め具。
【考案の詳細な説明】
【技術分野】
【０００１】
本開示は、スライドファスナーに含まれる止め具に関する。
【背景技術】
【０００２】
特許文献１には、スライドファスナーの防水性或いは水密性を高めるための樹脂製の止め具が開示される。同文献の段落００１１，００３０等は、スライダーと上部ストップの完全な結合においてテーパーフィットが達成されると記述する。
【０００３】
特許文献２にもスライドファスナーの防水性或いは水密性を高めるための樹脂製の止め具が開示される。同文献の図１６に示されるようにスライダーの連結柱（connecting neck）が延長部（first and second extensions）の間で挟み込まれる。
【先行技術文献】
【特許文献】
【０００４】
【特許文献１】特開２００８−２８４３５８号公報
【特許文献２】米国特許第９１３８０３３号明細書
【考案の概要】
【考案が解決しようとする課題】
【０００５】
スライドファスナーの防水性或いは水密性を高めるため、又は、これ以外の目的、例えば、スライダーの位置決めを促進するため、樹脂製の止め具に対してスライダー内に進入可能である脚部を設けることがある。樹脂製の止め具は、ファスナーテープを金型内に配置した状態で金型の空洞内に樹脂を注入して製造されるため、樹脂の供給圧又は流動に応じてファスナーテープが金型の空洞内で揺れ変位してしまうおそれがある。このような観点から脚部の形状をファスナーテープの上下において同一形状とし、これによりファスナーテープの上側の上部空洞における樹脂の流動と、ファスナーテープの下側の下部キャビティー空間における樹脂の流動を均一化することが技術常識である。しかしながら、かかる場合、脚部の大きさが大きくなってしまう傾向があり、スライドファスナーの柔軟性が低下してしまうおそれがある。
【課題を解決するための手段】
【０００６】
本開示の一態様に係るスライドファスナーに含まれる樹脂製の止め具は、上述の技術常識に反して想到された。この樹脂製の止め具は、スライドファスナーに含まれる樹脂製の止め具であって、
前記スライドファスナーに含まれる一対のファスナーテープそれぞれに対して固着した本体部と、
前記一対のファスナーテープの少なくとも一方に対して固着し、前記本体部から離間するように延びる少なくとも一つの脚部を備え、
前記本体部が、前記ファスナーテープの第１テープ面側に配される第１部分と、前記ファスナーテープの前記第１テープ面の反対側の第２テープ面側に配される第２部分を含み、
前記少なくとも一つの脚部が、前記本体部の前記第１部分に対して結合し、また前記ファスナーテープの前記第１テープ面に含まれる第１領域を被覆し、
前記第１テープ面の前記第１領域の反対側にある前記第２テープ面の第２領域には前記第２テープ面が露出した露出領域が含まれ、前記露出領域が、前記第２部分の外周壁面と前記少なくとも一つの脚部の先端の間で延びる。
【０００７】
幾つかの実施形態においては、前記少なくとも一つの脚部には前記ファスナーテープの前記第１テープ面まで到達する孔が設けられる。
【０００８】
幾つかの実施形態においては、前記孔は、前記第２部分の前記外周壁面の反対側の位置で前記第１テープ面側に設けられ、かつ前記外周壁面と比較して前記脚部の先端側にオフセットして位置付けられる。
【０００９】
幾つかの実施形態においては、前記孔を規定する壁面に含まれる第１壁面領域と前記第２部分の前記外周壁面に含まれる第２壁面領域が、前記ファスナーテープのテープ面に直交する共通の軸線沿いに延びる。
【００１０】
幾つかの実施形態においては、前記第１壁面領域の第１延長線と前記第２壁面領域の第２延長線が前記ファスナーテープの前記第１及び第２テープ面の間で交差する。
【００１１】
幾つかの実施形態においては、前記軸線沿いの前記第１壁面領域の長さは、前記軸線沿いの前記第２壁面領域の長さよりも大きい。
【００１２】
幾つかの実施形態においては、前記孔は、前記少なくとも一つの脚部の前記外周壁面に溝を形成する態様で設けられる。
【００１３】
幾つかの実施形態においては、前記孔は、前記少なくとも一つの脚部の枢動を促進するように設けられる。
【００１４】
幾つかの実施形態においては、前記第２部分は、前記スライドファスナーを開閉するためのスライダーの上翼板又は下翼板の前側輪郭に応じて凹んだ凹部を有する。
【００１５】
幾つかの実施形態においては、前記凹部は、前記上翼板又は下翼板の前側輪郭に応じて凹んだ一つの連続の弧状面と、前記ファスナーテープの長手方向沿いに延びる第１及び第２側壁面を有し、前記第１側壁面と前記弧状面の間で第１突起が規定され、前記第２側壁面と前記弧状面の間で第２突起が規定される。
【００１６】
幾つかの実施形態においては、前記少なくとも一つの脚部には前記ファスナーテープの前記第１テープ面まで到達する孔が設けられ、
（ａ）前記孔は、前記第１突起及び／又は前記第２突起の先端に位置する前記外周壁面の反対側の位置で前記第１テープ面側に設けられ、かつその位置の外周壁面と比較して前記脚部の先端側にオフセットして位置付けられる；又は
（ｂ）前記孔を規定する壁面に含まれる第１壁面領域と前記第１突起又は第２突起の先端に位置する前記外周壁面に含まれる第２壁面領域が、前記ファスナーテープのテープ面に直交する共通の軸線沿いに延びる。
【００１７】
幾つかの実施形態においては、前記少なくとも一つの脚部は、それが固着した前記ファスナーテープの動きに連行する柔軟さを有する。
【００１８】
幾つかの実施形態においては、前記少なくとも一つの脚部は、前記スライドファスナーに含まれるコイル状ファスナーエレメントの端部が埋め込まれる。
【考案の効果】
【００１９】
本開示の一態様によれば、ファスナーテープの一方のテープ面に脚部半分を形成しないことが許容又は促進される。
【図面の簡単な説明】
【００２０】
【図１】本開示の一態様に係るスライドファスナーの第１端部の概略的な斜視図であり、ファスナーテープの第２面を示す。止め具とスライダーが非結合であり、止め具の本体部の第２部分とスライダーが接触していない。
【図２】本開示の一態様に係るスライドファスナーの第１端部の概略的な斜視図であり、ファスナーテープの第１面を示す。止め具とスライダーが非結合であり、止め具の脚部がスライダー内に挿入されていない。
【図３】本開示の一態様に係るスライドファスナーの噛み合い状態のファスナーエレメントを示す概略的な断面模式図である。
【図４】本開示の一態様に係るスライドファスナーのファスナーエレメントを噛み合い及び非噛み合いにするためのスライダーを示す概略的な後面図である。
【図５】本開示の一態様に係るスライドファスナーの止め具を示す概略的な正面模式図であり、脚部が、ファスナーテープの第１テープ面に含まれる第１領域を被覆することを模式的に示す。
【図６】本開示の一態様に係るスライドファスナーの止め具を示す概略的な正面模式図であり、第１テープ面の第１領域の反対側にある第２テープ面の第２領域には露出領域が含まれることを模式的に示す。露出領域は、第２部分の外周壁面と脚部の先端の間で延びる。
【図７】本開示の一態様に係るスライドファスナーにおいてコイル状ファスナーエレメントの端部が脚部に埋め込まれることを模式的に示す概略的な正面模式図である。
【図８】本開示の一態様に係るスライドファスナーの止め具の概略的な斜視図であり、ファスナーテープの存在が一点破線により示される。
【図９】図８の破線Ｘ９−Ｘ９に沿う概略的な端面図である。
【図１０】図８の破線Ｘ１０−Ｘ１０に沿う概略的な端面図である。図面の簡素化のためファスナーテープの図示が省略される。
【図１１】図８の破線Ｘ１１−Ｘ１１に沿う概略的な端面図である。図面の簡素化のためファスナーテープの図示が省略される。
【図１２】本開示の一態様に係るスライドファスナーにおいて、止め具に向かうスライダーの前進の結果、スライダーと止め具が結合した状態を示す概略的な模式図である。
【考案を実施するための形態】
【００２１】
以下、図１乃至図１２を参照しつつ、本考案の非限定の実施形態例について説明する。開示の１以上の実施形態例及び実施形態例に包含される各特徴は、個々に独立したものではない。当業者は、過剰説明を要せず、各実施形態例及び／又は各特徴を組み合わせることができる。また、当業者は、この組み合わせによる相乗効果も理解可能である。実施形態例間の重複説明は、原則的に省略する。参照図面は、考案の記述を主たる目的とするものであり、作図の便宜のために簡略化されている場合がある。
【００２２】
一つのスライドファスナーに関して記述される複数の特徴は、特徴の組み合わせとして理解されるほか、他の特徴とは独立した個別の特徴として理解される。個別の特徴は、開示された一つのスライドファスナーに限られず、不開示の他のスライドファスナーにおいても通用するものと理解される。個別の特徴は、他の１つ以上の別の特徴との組み合わせとしても理解される。特徴の全組合せを列挙することは、当業者には冗長であり、省略される。本明細書においては、個別の特徴は、「幾つかの実施形態」、「幾つかの場合」といった表現によって他の記述と明示的に区別され得る。
【００２３】
本開示においては、次のように方向に関する用語が理解される。前後方向は、スライダーの移動方向に一致する。前方は、一対のファスナーエレメントを噛み合わせるためのスライダーの前進方向に一致する。後方は、一対のファスナーエレメントの噛み合いを解除するスライダーの後進方向に一致する。上下方向は、前後方向に直交し、かつファスナーテープのテープ面に対して直交する。上下方向は、スライダーの上翼部と下翼部を連結する連結柱の延在方向にも一致する。左右方向は、前後方向及び上下方向に直交する。以下の記述に基づいて各方向が別表現で定義され得る。
【００２４】
図１は、本開示の一態様に係るスライドファスナー１の第１端部の概略的な斜視図であり、ファスナーテープ２０の第２テープ面２２を示す。止め具１０とスライダー８０が非結合であり、止め具１０の本体部３０の第２部分３２とスライダー８０が接触していない。図２は、スライドファスナー１の第１端部の概略的な斜視図であり、ファスナーテープ２０の第１テープ面２１を示す。止め具１０とスライダー８０が非結合であり、止め具１０の脚部４０がスライダー８０内に挿入されていない。図３は、スライドファスナー１の噛み合い状態のファスナーエレメント９０を示す概略的な断面模式図である。図４は、スライドファスナー１のファスナーエレメント９０を噛み合い及び非噛み合いにするためのスライダー８０を示す概略的な後面図である。
【００２５】
スライドファスナー１は、左右一対のファスナーテープ２０として、第１及び第２ファスナーテープ２０ａ，２０ｂを有し、また、左右一対のファスナーエレメント９０として、第１及び第２ファスナーエレメント９１，９２を有する。スライドファスナー１は、更に、樹脂製の止め具１０を有する。また、スライドファスナー１は、オプションとしてスライダー８０を有し得る。必ずしもこの限りではないが、幾つかの場合、図１及び図２において図示されたスライドファスナー１の第１端部の反対側にも止め具が設けられる。
【００２６】
ファスナーテープ２０は、第１テープ面２１と第２テープ面２２を有する可撓性基材である。ファスナーテープ２０の第１及び第２テープ面２１，２２は、ファスナーテープ２０の厚みを規定する面である。ファスナーテープ２０は、一定幅で所定方向に長く延びる長尺形状を呈する。ファスナーテープ２０の長手方向が図１の矢印により示される。ファスナーテープ２０は、一対の長尺側縁部２３と一対の短尺側縁部２４を有し、これらによりファスナーテープ２０の帯状の外形が規定される。左右一対のファスナーテープ２０が左右方向において配置され、従って、一方のファスナーテープ２０の長尺側縁部２３と他方のファスナーテープ２０の長尺側縁部２３が隣接して配置される。この隣接配置される長尺側縁部２３それぞれに対してファスナーエレメント９０が設けられ、従って、エレメント配置側縁部と呼ぶこともできる。
【００２７】
必ずしもこの限りではないが、幾つかの場合、ファスナーテープ２０は、２以上の層から構成され、オプションとして、この２以上の層が、ファスナーテープ基布である第１層２６と、撥水又は防水層である第２層２７を含み得る。撥水又は防水層が、異なる材料の複数の層として構成されることも想定される。例えば、ファスナーテープ基布は、織物又は編物又はこれらの混在により構成される。例えば、撥水又は防水層は、ポリウレタンといった樹脂のコーティング層である。図３では、左右一対のファスナーエレメント９１，９２が閉じられる時、左右一対のファスナーテープ２０ａ，２０ｂの間に隙間Ｇ１が存在することが示される。幾つかの場合、左右一対のファスナーエレメント９１，９２が閉じられる時、左右一対のファスナーテープ２０ａ，２０ｂがそれらの長尺側縁部２３においてお互いに接触し、これによりスライドファスナー１の防水性又は水密性が高められる。
【００２８】
ファスナーエレメント９０は、ファスナーテープ２０の長手方向に沿って延び、ファスナーテープ２０の長尺側縁部２３に設けられる。ファスナーエレメント９０は、金属ファスナーエレメント、樹脂ファスナーエレメント、コイル状ファスナーエレメントといった任意の種類のものであり得る。ファスナーエレメント９０としてコイル状ファスナーエレメントが図示されるが、これに限られるべきものではない。幾つかの場合、ファスナーエレメント９０がコイル状ファスナーエレメントであり、ファスナーテープ２０の第１テープ面２１上に配置され、これにより、ファスナーテープ２０の第２テープ面２２の平坦性が確保される。
【００２９】
左右一対のファスナーエレメント９１，９２は、止め具１０に向かうスライダー８０の前進により噛み合い状態になる。左右一対のファスナーエレメント９１，９２が噛み合い状態になる過程で、左右一対のファスナーテープ２０ａ，２０ｂがそれらの長尺側縁部２３においてお互いに接触した状態になり得る。左右一対のファスナーエレメント９１，９２は、止め具１０から離れるスライダー８０の後進により非噛み合い状態になる。左右一対のファスナーエレメント９１，９２が非噛み合い状態になる過程で、左右一対のファスナーテープ２０ａ，２０ｂがそれらの長尺側縁部２３においてお互いに接触しない状態になり得る。
【００３０】
ファスナーテープ２０に対してファスナーエレメント９０が設けられたものがファスナーストリンガーと呼ばれる。左右一対のファスナーエレメント９１，９２が噛み合わされる時、左右一対のファスナーストリンガーが閉じられる。左右一対のファスナーエレメント９１，９２が非噛み合いになる時、左右一対のファスナーストリンガーが開けられる。
【００３１】
スライダー８０は、金属又は樹脂製又はこれ以外の材料から成るスライダーであり得る。スライダー８０は、ファスナーテープ２０の第１テープ面２１側に配置される下翼板８１と、ファスナーテープ２０の第２テープ面２２側に配置される上翼板８２と、下翼板８１と上翼板８２をそれらの前端部で連結する連結柱８３を有する。下翼板８１と上翼板８２の間でファスナーエレメント９０の上下変位が規制される。連結柱８３により噛み合い状態のファスナーエレメント９０が割られ、非噛み合い状態になる。連結柱８３を挟むように一対の前口が設けられる。各前口を介して各ファスナーエレメント９０がスライダー８０外からスライダー８０内に進入し、或いは、スライダー８０内からスライダー８０外に出る。前後方向において前口の反対側には一つの後口が設けられる。この後口を介して噛み合い状態のファスナーエレメント９０がスライダー８０外からスライダー８０内に進入し、或いは、スライダー８０内からスライダー８０外に出る。
【００３２】
幾つかの場合、下翼板８１が、左右一対のファスナーエレメント９１，９２の左右方向における変位を規制する一対のフランジ部８４を有し、他方、上翼板８２が、左右一対のファスナーエレメント９１，９２の左右方向における変位を規制する一対のフランジ部を有しない。代替的又は追加的に、第１テープ面２１から下翼板８１までの間隔Ｈ８１が、第２テープ面２２から上翼板８２までの間隔Ｈ８２よりも大きい。代替的又は追加的に、幾つかの場合、上翼板８２が、第１テープ面２１に接触した状態で第１テープ面２１上を移動可能である。平坦性が向上した第２テープ面２２に対してスライダー８０を上手く適合させることができる。
【００３３】
幾つかの場合、スライダー８０は、自動停止機能を有しない、すなわちファスナーエレメント９０に対して係合するように作動する停止爪を有しない。ファスナーテープ２０が複数の層から構成される時、スライダー８０の摺動抵抗が増加してしまう。この不利益を利益として捉え、スライダー８０の構造が簡素化され、スライドファスナー１の低コスト化が促進される。なお、スライダー８０は、１以上の引手取付柱８５を有し得る。引手取付柱８５は、下翼板８１又は上翼板８２のいずれか又は両方に設けられ得る。引手取付柱８５には不図示の引手が取り付けられ得る。
【００３４】
幾つかの場合、スライドファスナー１に含まれる樹脂製の止め具１０は、スライドファスナー１に含まれる一対のファスナーテープ２０それぞれに対して固着した本体部３０と、一対のファスナーテープ２０の少なくとも一方に対して固着し、本体部３０から離間するように延びる少なくとも一つの脚部４０を備える。止め具１０がスライダー８０の前進を阻止するように設計される場合、止め具１０は、左右一対の脚部４０として、第１及び第２脚部４１，４２を有し得る。各脚部４０が各ファスナーテープ２０に固着し、各脚部４０がスライダー８０の各前口に挿入され得る。第１及び第２脚部４１，４２の間にはスライダー８０の連結柱８３が挿入される通路Ｐ１が設けられる。
【００３５】
止め具１０がスライダー８０の後進を阻止するように設計される場合、止め具１０は、ただ一つの脚部４０を有し、脚部４０がファスナーテープ２０の両方に固着し、脚部４０がスライダー８０の後口に挿入され得る。言うまでも無いが、スライダー８０の後口に挿入される複数の脚部が設けられる形態も想定される。
【００３６】
幾つかの場合、止め具１０は、ポリアセタール、ポリウレタンから成る群から選択される少なくとも一つの樹脂を含む。幾つかの場合、少なくとも一つの脚部４０は、それが固着したファスナーテープ２０の動きに連行する柔軟さを有する。例えば、止め具１０よりも僅かに後方の位置で左右のファスナーテープ２０を左右方向において反対側に引き、左右のファスナーテープ２０の間隔を広げる時、左右の脚部４０は、平行な状態から後方に向かって間隔が広がるテーパー状に容易に変形する。これにより脚部４０を設けるとしても、スライドファスナー１の柔軟性が低下してしまうことが回避又は抑制される。なお、後述の記述から分かるように、幾つかの場合、脚部４０が実質的に第１テープ面２１側のみに設けられ、スライドファスナー１の柔軟性の低下が回避又は抑制される。
【００３７】
本体部３０が、ファスナーテープ２０の第１テープ面２１側に配される第１部分３１と、ファスナーテープ２０の第１テープ面２１の反対側の第２テープ面２２側に配される第２部分３２を含む。第１部分３１と第２部分３２が上下方向において連結し、幾つかの場合、左右のファスナーテープ２０の間の隙間において上下に連結する。本体部３０は、ファスナーテープ２０に対する止め具１０の十分な固着を促進するための部分であるが、新たな別の機能要求又はデザイン要求に応じて様々な形状や大きさを取り得る。図９から良く分かるように、幾つかの場合、第１テープ面２１から測定される第１部分３１の最大高さＨ１が、第２テープ面２２から測定される第２部分３２の最大高さＨ２よりも大きい。これにより、第２テープ面２２の平坦性の低下量がより小さくなる。
【００３８】
幾つかの場合、第２部分３２は、スライドファスナー１を開閉するためのスライダー８０の上翼板８２又は下翼板８１の前側輪郭に応じて凹んだ凹部３３を有する。これによりスライダー８０と止め具１０の密着が促進され、両者の間に生じ得る隙間の最小化が促進される。幾つかの場合、凹部３３は、上翼板８２又は下翼板８１の前側輪郭に応じて凹んだ一つの連続の弧状面３４と、ファスナーテープ２０の長手方向沿いに延びる第１及び第２側壁面３５，３６を有し、第１側壁面３５と弧状面３４の間で第１突起３７が規定され、第２側壁面３６と弧状面３４の間で第２突起３８が規定される。
【００３９】
弧状面３４及び第１及び第２側壁面３５，３６は、第２部分３２の外周壁面３９に含まれる壁面領域である。弧状面３４は、左右のファスナーテープ２０の間に亘る範囲で延びる。弧状面３４は、第２部分３２の左右全幅に亘る長さを有し得る。第１及び第２側壁面３５，３６は、各ファスナーテープ２０の第２テープ面２２から直立し得る。第１突起３７は、その先端に向けて漸減する左右幅を有し得る。同様、第２突起３８は、その先端に向けて漸減する左右幅を有し得る。
【００４０】
脚部４０は、少なくとも部分的にスライダー８０内に挿入される部分であり、止め具１０とスライダー８０の係合又は結合を促進する。スライダー８０の前口又は後口が脚部４０により実質的に閉鎖され、これにより、スライダー８０の内部を通じた水の流路が遮断又は低減される。幾つかの場合、少なくとも一つの脚部４０は、スライドファスナー１に含まれるコイル状ファスナーエレメント９０の端部が埋め込まれる。ファスナーテープ２０に対してコイル状ファスナーエレメント９０が十分な取り付け強度で取り付けられる。脚部４０が実質的に第１テープ面２１側のみに設けられる場合、ファスナーテープ２０に対する脚部４０の取り付け強度が十分に確保できないおそれがある。コイル状ファスナーエレメントの端部を脚部４０に埋め込むことによりファスナーテープ２０に対する脚部４０の取り付け強度の向上が促進される。
【００４１】
図５は、脚部４０が、ファスナーテープ２０の第１テープ面２１に含まれる第１領域５１を被覆することを模式的に示す。図６は、第１テープ面２１の第１領域５１の反対側にある第２テープ面２２の第２領域５２には第２テープ面２２が露出した露出領域５３が含まれることを模式的に示す。露出領域５３は、第２部分３２の外周壁面３９と脚部４０の先端４５の間で延びる。図７は、コイル状ファスナーエレメントの端部が脚部に埋め込まれることを模式的に示す概略的な正面模式図である。図８は、止め具１０の概略的な斜視図であり、ファスナーテープ２０の存在が一点破線により示される。図９は、図８の破線Ｘ９−Ｘ９に沿う概略的な端面図である。図１０は、図８の破線Ｘ１０−Ｘ１０に沿う概略的な端面図である。図１１は、図８の破線Ｘ１１−Ｘ１１に沿う概略的な端面図である。図１２は、止め具１０に向かうスライダーの前進の結果、スライダー８０と止め具１０が結合した状態を示す概略的な模式図である。
【００４２】
幾つかの場合、少なくとも一つの脚部４０が、本体部３０の第１部分３１に対して結合し、またファスナーテープ２０の第１テープ面２１に含まれる第１領域５１を被覆する。図５の斜線領域は、脚部４０により被覆される第１テープ面２１の第１領域５１を明示的に示す。幾つかの場合、第１テープ面２１の第１領域５１の反対側にある第２テープ面２２の第２領域５２には露出領域５３が含まれる。図６の斜線領域及び格子領域は、第１テープ面２１の第１領域５１の反対側にある第２テープ面２２の第２領域５２を明示的に示す。図６の格子領域は、第２領域５２に含まれる露出領域５３を明示的に示す。
【００４３】
露出領域５３は、第２部分３２の外周壁面３９と少なくとも一つの脚部４０の先端４５の間で延びる。追加的又は代替的に、露出領域５３は、第２部分３２の外周壁面３９と脚部４０の先端４５の間に亘って延びる。かかる構成によれば、脚部４０が実質的に第１テープ面２１側に設けられ、スライドファスナー１の柔軟性が止め具１０周辺で局所的に低下してしまう程度が低減される。更には、第２テープ面２２側における平坦性の低下量がより小さくなる。上述のように、幾つかの場合、コイル状ファスナーエレメント９０の端部が脚部４０に埋め込まれ、脚部４０が第１テープ面２１側に選択的に設けられる場合において生じるファスナーテープ２０に対する脚部４０の取り付け強度の低下が回避又は抑制される。
【００４４】
第２部分３２の外周壁面３９は、幾つかの場合、第１テープ面２１から立ち上がる第１外周壁面と、第２テープ面２２から立ち上がる第２外周壁面と、第１及び第２外周壁面の間を接続する接続面を含む。第２領域５２は、第２テープ面２２に含まれる一領域であり、部分的に第２部分３２により被覆された領域である。露出領域５３は、第２テープ面２２に含まれる一領域であり、第２部分３２により被覆されない領域である。第２領域５２において第２部分３２により被覆された領域が第３領域と呼ばれる。幾つかの場合、第３領域の面積は、露出領域５３の面積よりも小さい。これにより、スライドファスナー１の柔軟性の低下量がより小さくなる。
【００４５】
少なくとも一つの脚部４０にはファスナーテープ２０の第１テープ面２１まで到達する孔６０が設けられ得る。孔６０は、ファスナーテープ２０に対する止め具１０の射出成形に際してファスナーテープ２０の変位を規制するピンに応じて生じる。孔６０は、少なくとも一つの脚部４０の外周壁面３９に溝を形成する態様で設けられ得る。代替的又は追加的に、孔６０は、少なくとも一つの脚部４０の枢動を促進するように設けられる。図７と図１２の対比から良く分かるように、脚部４０がスライダー８０内に挿入される時、フランジ部８４により押されて脚部４０が枢動する。幾つかの場合、孔６０により脚部４０の枢動し易さが促進される。孔６０の直径又は幅は、第１テープ面２１側に向かって徐々に小さくなり得る。
【００４６】
必ずしもこの限りではないが、本体部３０の第１部分３１にも孔６１が設けられる。本体部３０と第１部分３１と脚部４０の境界（二点破線参照）を跨ぐ孔６２も設けられる。本体部３０の第２部分３２にも孔６３が設けられる。孔６１，６２は、第１テープ面２１まで到達する孔である。孔６３は、第２テープ面２２まで到達する孔である。孔６０〜６３は、上下方向に延び、上下方向において変化する又は一定の幅を有し得る。孔６０〜６３の輪郭形状は、正円、楕円、又は角が丸められた多角形といった様々な形状であり得る。
【００４７】
冒頭で述べたように、樹脂製の止め具は、ファスナーテープを金型内に配置した状態で金型の空洞内に樹脂を注入して製造されるため、樹脂の供給圧又は流動に応じてファスナーテープが金型の空洞内で揺れ変位してしまうおそれがある。このような観点から脚部の形状をファスナーテープの上下において同一形状とし、これによりファスナーテープの上側の上部空洞における樹脂の流動と、ファスナーテープの下側の下部キャビティー空間における樹脂の流動を均一化することが技術常識である。
【００４８】
他方、本開示の幾つかの場合、脚部４０が実質的に第１テープ面２１側のみに設けられ、第２テープ面２２側に脚部半分が存在しない。止め具１０の射出成形時、本体部３０の第２部分３２の外周壁面３９を成形するための金型の壁面に到達した樹脂がファスナーテープ２０を押し、ファスナーテープ２０が脚部４０を成形するための空間側へ局所的に変位し、結果として、第２部分３２に微小な突起が生じてしまうといった成形不良が発生してしまい得る。このような望まないファスナーテープ２０の局所的な変位を抑制するために上述のピンが用いられ、このようなピンの活用の結果、成形不良の発生が回避又は抑制される。図６から良く分かるように、幾つかの場合、ピンが適切な位置に配置された結果として、孔６０は、第２部分３２の外周壁面３９の反対側に設けられ、かつ外周壁面３９と比較して脚部４０の先端４５側にオフセットして位置付けられる。オプションとして、孔６０の輪郭と外周壁面３９の輪郭が交差又は重畳しない。
【００４９】
追加的又は代替的に、図９から分かるように、孔６０を規定する壁面に含まれる第１壁面領域７１と第２部分３２の外周壁面３９に含まれる第２壁面領域７２が、ファスナーテープ２０のテープ面に直交する共通の軸線Ｖａｘ沿いに延びる。第１壁面領域７１の第１延長線Ｌ１と第２壁面領域７２の第２延長線Ｌ２がファスナーテープ２０の第１及び第２テープ面２２の間で交差し得る。図９は、第１壁面領域７１の第１延長線Ｌ１と第２壁面領域７２の第２延長線Ｌ２が、第１テープ面２１と第２テープ面２２の間の交点ＣＰにおいて交差することを示す。幾つかの場合、軸線Ｖａｘ沿いの第１壁面領域７１の長さは、軸線Ｖａｘ沿いの第２壁面領域７２の長さよりも大きい。脚部４０が実質的に第１テープ面２１側のみに設けられことに起因した本体部３０の第２部分３２の成形不良が回避又は抑制される。
【００５０】
第２部分３２の成形不良の抑制のための孔６０の最適な位置は、第２部分３２の外周壁面３９の輪郭に依存し、また、場合によっては、ゲート位置や材料の流入速度及び粘度といった他の要因に依存し得る。第２部分３２の凹部３３が上述の第１突起３７及び／又は第２突起３８を有する場合、図６に矢印で例示の位置Ｇ５にあるゲートから流入した樹脂が、第１突起３７及び／又は第２突起３８を成形するための先細りの流路を流れ、結果として、第１突起３７及び／又は第２突起３８の先端近傍での成形不良の発生を誘起し得る。
【００５１】
上述の点に鑑み、幾つかの場合、孔６０は、（ａ）第１突起３７及び／又は第２突起３８の先端に位置する外周壁面３９の反対側に設けられ、かつその位置の外周壁面３９と比較して脚部４０の先端４５側にオフセットして位置付けられる；又は（ｂ）孔６０を規定する壁面に含まれる第１壁面領域７１と第１突起３７又は第２突起３８の先端に位置する外周壁面３９に含まれる第２壁面領域７２が、ファスナーテープ２０のテープ面に直交する共通の軸線Ｖａｘ沿いに延びる。これにより上述のように成形不良が誘発されることが回避又は抑制される。幾つかの場合、第１突起３７及び／又は第２突起３８と孔６０が重畳しないように設けられる。
【００５２】
追加的又は代替的に、孔６０を規定する壁面に含まれる第１壁面領域７１と第１突起３７又は第２突起３８の外周壁面３９に含まれる第２壁面領域７２が、ファスナーテープ２０のテープ面に直交する共通の軸線Ｖａｘ沿いに延びる。第１壁面領域７１の第１延長線Ｌ１と第２壁面領域７２の第２延長線Ｌ２がファスナーテープ２０の第１及び第２テープ面２１，２２の間で交差し得る。
【００５３】
脚部４０は、図８、図１０及び図１１から良く分かるように、スライダー８０内へのその円滑な挿入性を促進するべく形状付けられる。脚部４０は、本体部３０から離間するに応じて漸減する左右幅Ｗ４０を有し得る。脚部４０は、脚部４０の左右幅Ｗ４０を減少させるべく孔６０と脚部４０の先端４５の間で傾斜した第１傾斜面４６を有する。第１傾斜面４６は、スライダー８０の下翼板８１に連結したフランジ部８４に接触し、また、フランジ部８４により押される。脚部４０は、脚部４０の厚みを減少させるべく孔６０と脚部４０の先端４５の間で傾斜した第２傾斜面４７を有する（図２参照）。第２傾斜面４７は、スライダー８０の下翼板８１に接触可能であり、スライダー８０内への脚部４０の挿入を案内する。
【００５４】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００５５】
１            スライドファスナー
１０            止め具
２０            ファスナーテープ
２１            第１テープ面
２２            第２テープ面
３０            本体部
３１            第１部分
３２            第２部分
３９            外周壁面
４０            脚部
４５            先端
５１            第１領域
５２            第２領域
５３            露出領域
【図１】
0003213897.tif 000003
【図２】
0003213897.tif 000004
【図３】
0003213897.tif 000005
【図４】
0003213897.tif 000006
【図５】
0003213897.tif 000007
【図６】
0003213897.tif 000008
【図７】
0003213897.tif 000009
【図８】
0003213897.tif 000010
【図９】
0003213897.tif 000011
【図１０】
0003213897.tif 000012
【図１１】
0003213897.tif 000013
【図１２】
0003213897.tif 000014